(57)【特許請求の範囲】
【請求項１】
登録商品の売上データを含む取引データを用紙に印字することなくジャーナル記憶手段に記憶可能に形成された商品販売登録データ処理装置において、
複数のメモ情報を記憶可能なメモ情報記憶手段と，
このメモ情報記憶手段に記憶されているメモ情報の中から任意のメモ情報を選択するメモ情報選択手段と，
前記取引データを指定する取引データ指定手段と，
メモ宣言をするメモ宣言手段と，
締め操作による会計処理後にメモ書き要否のガイダンスを表示可能に形成する書込み記憶ガイダンス表示制御手段と，
メモ宣言が成されたことを条件にメモ情報選択手段を用いて選択されたメモ情報を取引データ指定手段を用いて指定された取引データに対応させて前記ジャーナル記憶手段に書込み記憶するメモ書込み記憶制御手段と
を設けたことを特徴とする商品販売登録データ処理装置。
【請求項２】
前記書込み記憶ガイダンス表示制御手段は、前記メモ書き要否のガイダンスを表示器に常時表示させるか否かを選択切換可能に構成されていることを特徴とする請求項２記載の商品販売登録データ処理装置。
【請求項３】
前記メモ情報選択手段が、表示された複数のメモ情報の中から任意の１つを選択可能に形成されている請求項１または２記載の商品販売登録データ処理装置。
【請求項４】
前記取引データ指定手段が、商品登録されたことを条件に当該登録商品についての取引データを自動指定するものとされている請求項２または請求項３記載の商品販売登録データ処理装置。
【発明の詳細な説明】
【０００１】
【発明の属する技術分野】
本発明は、登録商品の売上データを含む取引データを用紙に印字することなくジャーナル記憶手段に記憶可能に形成された商品販売登録データ処理装置に関する。
【０００２】
【従来の技術】
単独であるいはデータ通信可能に接続された上位機とともに商品販売登録データ処理装置を形成する電子キャッシュレジスタは、商品登録機能，会計処理機能等を有する。
【０００３】
商品登録機能は、顧客買上商品について商品登録する。登録商品についての売上データはレシート用紙に印字出力される。会計処理機能は、１取引き終了宣言としての締め操作をすることにより、合計金額，釣り銭額等の算出を含む処理を行う。合計金額等もレシート用紙に印字され、後にレシートとして発行される。レシートは、顧客に手渡される。
【０００４】
一方、売上データを含む取引データは、ジャーナルとして記憶される。取引データには、取引番号やキー入力手順等が含まれる場合も多く、レシート印字データよりもデータ量が多い。したがって、ジャーナルを分析すれば、商品登録，会計処理，さらには操作手順やエラー発生等々を具体的かつ正確に知ることができる。
【０００５】
ここに、ジャーナルの記憶方法としては、図７に示すジャーナル（レシート用紙を兼用）３０に印字出力して記憶する方法と，システム電源をＯＦＦしても記憶保持可能なメモリからなる図８に示すジャーナル記憶手段（例えば、ＨＤＤ２７）に電子的に記憶するいわゆる電子ジャーナル方式がある。
【０００６】
【発明が解決しようとする課題】
ところで、ジャーナル記憶手段（２７）に記憶された膨大な取引データ（ジャーナル）の中から特定の取引データを捜し出し易くかつその分析を迅速かつ正確に行えるようにするためには、特定の取引データである旨を識別可能としておくことが望ましい。特定取引データとしては、例えば“登録間違い”や“金額間違い”等が生じた取引データである。
【０００７】
しかるに、レシート用紙兼用のジャーナル３０の場合は、図７に示す如く、その旨（例えば、“登録間違い”）をスタンプや手書きにより直接メモしておくことができるが、図８に示す電子ジャーナル（２７）の場合にはその手だてがない。したがって、用紙節約，長期に亘る記憶保持性や取扱い容易性等々の長所を有する電子ジャーナル（２７）の普及拡大に関する１つの阻害要因となって来た。
【０００８】
本発明の目的は、電子的に記憶保持される取引データに簡単にメモ書きすることができるとともにメモ書きを手掛りに特定取引データを容易に識別可能でかつ取扱い容易な商品販売登録データ処理装置を提供することにある。
【０００９】
【課題を解決するための手段】
請求項１の発明は、登録商品の売上データを含む取引データを用紙に印字することなくジャーナル記憶手段に記憶可能に形成された商品販売登録データ処理装置において、複数のメモ情報を記憶可能なメモ情報記憶手段と，このメモ情報記憶手段に記憶されているメモ情報の中から任意のメモ情報を選択するメモ情報選択手段と，前記取引データを指定する取引データ指定手段と，メモ宣言をするメモ宣言手段と，締め操作による会計処理後にメモ書き要否のガイダンスを表示可能に形成する書込み記憶ガイダンス表示制御手段と，メモ宣言が成されたことを条件にメモ情報選択手段を用いて選択されたメモ情報を取引データ指定手段を用いて指定された取引データに対応させて前記ジャーナル記憶手段に書込み記憶するメモ書込み記憶制御手段とを設けた、ことを特徴とする。
【００１０】
かかる発明では、取引データ指定手段を用いてメモ書きをしようとする取引データを指定する。これと前後して、メモ情報選択手段を用いてメモ情報記憶手段に記憶されているメモ情報の中から任意のメモ情報を選択する。これらと前後して、メモ宣言手段を用いてメモ宣言する。すると、メモ書込み記憶制御手段が、選択メモ情報を指定取引データに対応させてジャーナル記憶手段に書込み記憶する。したがって、請求項１の発明の場合と同様な作用効果を奏し得る他、さらにメモ宣言手段，メモ情報選択手段および取引データ指定手段を操作するだけでよいから、一段と取扱いが容易でかつ何時でもどの取引データにでもメモ書きをすることができる。
【００１１】
また、締め操作による会計処理後に、メモ書き要否のガイダンスが表示器に表示されるので、顧客サービスを向上できるとともに当該取引データ中の各売上データについて一度にそれぞれにメモ書きをすることができる。
【００１２】
請求項２の発明は、前記書込み記憶ガイダンス表示制御手段は、前記メモ書き要否のガイダンスを表示器に常時表示させるか否かを選択切換可能に構成されていることを特徴とする。
【００１３】
また、請求項３の発明は、前記メモ情報選択手段が、表示された複数のメモ情報の中から任意の１つを選択可能に形成されている商品販売登録データ処理装置である。
【００１４】
かかる発明では、例えばメモ宣言を成するとメモ情報記憶手段に記憶されている複数のメモ情報が表示器に表示される。メモ情報選択手段は、この表示中のメモ情報の中から任意で１つのメモ情報を選択することができる。したがって、請求項２の発明の場合と同様な作用効果を奏し得る他、さらにメモ書きをしようとするメモ情報をより正確かつ迅速に選択することができる。
【００１５】
さらに、請求項４の発明は、前記取引データ指定手段が、商品登録されたことを条件に当該登録商品についての取引データを自動指定するものとされている商品販売登録データ処理装置である。
【００１６】
かかる発明では、商品登録がされると、取引データ指定手段は当該取引データを自動的に指定する。したがって、商品登録業務中に各取引データについてメモ書きすることができる。よって、請求項２および請求項３の発明の場合と同様な作用効果を奏し得る他、さらにメモ宣言手段とメモ情報選択手段とを操作すればよいので、一段と取扱いが容易である。
【００１７】
【発明の実施の形態】
以下、本発明の実施形態を図面を参照して説明する。
【００１８】
（第１の実施形態）  本商品販売登録データ処理装置は、図１に示す如く、基本的構造が電子キャッシュレジスタ１０とされかつメモ情報記憶手段２７Ｍと，メモ情報選択手段（２０Ｓ）と，取引データ指定手段（１１，１２）と，メモ宣言手段（２０Ｄ）と，メモ書込み記憶制御手段（１１，１２）とを設け、複数のメモ情報の中から任意のメモ情報を選択可能に形成するとともに、選択されたメモ情報を指定された取引データに対応させてジャーナル記憶手段２７に書込み記憶可能に形成し、ジャーナル記憶手段２７に記憶された取引データの中からそのメモ情報を手掛りに特定取引データである旨を識別可能に形成されている。
【００１９】
図１において、電子キャッシュレジスタ１０は、ＣＰＵ１１，ＲＯＭ１２，ＲＡＭ１３，時計回路１４，スキャナ１９（スキャナ回路１５），キーボード２０（キーボード回路１６），表示器２１（表示制御回路１７），入出力ポート（Ｉ／Ｏ）１８を介して接続されたプリンタ２２（プリンタ駆動回路２４）およびドロワ２３（ドロワ開放装置２５），上位機（図示省略）とのデータ通信用のインターフェイス（Ｉ／Ｆ）２９を含み、商品登録機能，会計処理機能等を有する。
【００２０】
商品登録機能は次のようにして行われる。すなわち、スキャナ１９やキーボード２０を用いて商品コードを入力（図３のＳＴ１０のＹＥＳ）すると、制御部（１１，１２）がＲＡＭ１３内の商品ファイルまたは上位機内のマスター商品ファイルから得た商品データ（商品名，単価等）を用いて商品登録する（ＳＴ１１）。この登録商品の売上データ（商品名，単価，数量等）は、ＲＡＭ１３内の売上ファイルに記憶（登録）される。
【００２１】
例えば、預り／現計キーを押下して１取引終了宣言としての締め操作（ＳＴ１２のＹＥＳ）をすると、合計金額，釣銭額の算出やドロワ２３の自動開放等を含む会計処理（機能）を行える。売上データは、プリンタ２２によってレシート用紙に印字されかつレシートとして発行（ＳＴ１４）される。また、売上データを含む取引データは、従来例（図８）の場合と同様な図１に示すＨＤＤ（ジャーナル記憶手段）２７に記憶（ＳＴ１５）される。なお、売上データは、商品登録（ＳＴ１１）の直後にレシート用紙へ印字し、かつ取引データの一部としてＨＤＤ２７に記憶させておくように形成してもよい。
【００２２】
ここに、メモ情報記憶手段２７Ｍは、複数のメモ情報（例えば、“登録間違い”，“金額間違い”等々）を記憶する手段で、この実施形態では、ＨＤＤ２７の一部格納エリアから形成されている。詳しくは、図２に示すようにメモ番号が付されて記憶される。
【００２３】
メモ情報選択手段は、メモ情報記憶手段２７Ｍに記憶されているメモ情報の中から任意のメモ情報を選択する手段で、図１に示すキーボード２０上の選択キー２０Ｓから形成されている。この実施形態では、メモ情報表示制御手段（ＣＰＵ１１，ＲＯＭ１２）がメモ情報記憶手段２７Ｍを検索（ＳＴ１７）して複数（あるいは全て）のメモ情報（メモ番号とメモ内容）を読出してこれを表示器２１に図４に示す如く一覧表示（ＳＴ１８）する。このように表示された複数のメモ情報の中から任意の１つを選択キー２０Ｓを用いて選択（ＳＴ１９のＹＥＳ）するものと形成されている。メモ番号を選択（入力）することによる。
【００２４】
さらに、この実施形態では、図４に示すメモ表示スイッチ２１Ｉをタッチすることにより選択メモ情報表示制御手段（ＣＰＵ１１，ＲＯＭ１２）が選択（入力）されたメモ情報（メモ番号入力およびメモ内容確認）を表示器２１に表示（ＳＴ２０）しかつ確認スイッチ２１Ｃをタッチ（ＳＴ２１のＹＥＳ）することにより、それを確定するものと形成してある。より正確な選択ができる。
【００２５】
なお、表示スイッチ２１Ｉおよび確認スイッチ２１Ｃは、表示器２１と一体のタッチパネルを利用した表示スイッチとされているが、キーボード２０上のキーを用いてもよい。一方、キーボード２０上の選択キー２０Ｓを表示スイッチとしてもよい。
【００２６】
取引データ指定手段は、売上データを含む取引データを指定する手段で、この第１の実施形態では取引データ指定制御プログラムを格納させたＲＯＭ１２とＣＰＵ１１とからなり、商品登録（ＳＴ１１）されたことを条件に当該登録商品についての取引データ（売上データ）を自動的に指定するものと形成されている。取引データの各売上データについてもメモ書きを可能とするとともに実行容易化を図るためである。
【００２７】
メモ宣言手段は、ジャーナル記憶手段（２７）に記憶される取引データにメモ書きをする旨の宣言を行う手段で、キーボード２０上の宣言キー２０Ｄから形成してある。この実施形態の場合は、商品登録（ＳＴ１１）後で締め操作（ＳＴ１２のＹＥＳ）前に押下（ＳＴ１６のＹＥＳ）される。また、このメモ宣言により、上記したメモ情報表示制御手段（１１，１２）および選択メモ情報表示制御手段が働くものと形成してある。
【００２８】
すなわち、商品登録（ＳＴ１１）の直後に当該取引データ（売上データ）にメモ書きをできるようにするとともに、メモ書きを必要としない場合には引続く次の商品登録（ＳＴ１０のＹＥＳ，ＳＴ１１）または締め操作（ＳＴ１２のＹＥＳ）を迅速に実行可能とするものである。
【００２９】
メモ書込み記憶制御手段は、メモ宣言が成されたことを条件（図３のＳＴ１６のＹＥＳ）にメモ情報選択手段（２０Ｓ）を用いて選択（ＳＴ１９のＹＥＳ）されたメモ情報を取引データ指定手段（１１，１２）を用いて指定（ＳＴ３１）された取引データに対応させてジャーナル記憶手段２７に書込み記憶する手段で、メモ書込み記憶制御プログラムを格納させたＲＯＭ１２とＣＰＵ１１とから形成され、図３のＳＴ２２で実行される。当該取引データとともに記憶する。
【００３０】
次に、この第１の実施形態の作用・動作を説明する。商品登録（図３のＳＴ１１）したが、この商品登録が例えば他の顧客の商品について成したものである場合つまり登録間違いである場合は、その取消登録を実行し正しい商品登録（ＳＴ１１）を行う。しかし、このままだと、間違いである先の商品登録に係る特定の取引データ（売上データ）は後の正しい商品登録に係る一般的な取引データ（売上データ）とともにジャーナル記憶手段２７に記憶（ＳＴ１５）されてしまう。したがって、後の分析に際して、特定取引データとして識別することは甚だ難しい。
【００３１】
そこで、先の商品登録後で後の商品登録前に、当然に締め操作（ＳＴ１２のＹＥＳ）の前に、宣言キー２０Ｄを押下（ＳＴ１６のＹＥＳ）する。すると、メモ情報表示制御手段（１１，１２）が図２に示すメモ情報記憶手段２７Ｍを検索（ＳＴ１７）して得た全て（複数）のメモ情報を図４の右下に示すように表示器２１に一覧表示（ＳＴ１８）する。
【００３２】
かくして、オペレータはキーボード２０上の選択キー２０Ｓを用いてメモ情報（“登録間違い”）のメモ番号（“１”）を入力することにより、メモ情報（“登録間違い”）を選択（ＳＴ１９のＹＥＳ）する。
【００３３】
そして、表示スイッチ（メモ表示）２１Ｉをタッチすると、選択メモ情報表示制御手段（１１，１２）が働き、図４に示す選択メモ情報を表示（ＳＴ２０）する。かくして、メモ番号入力（“１”）とメモ内容確認（“登録間違い”）とが正しいことを確認したら、確認スイッチ（ＯＫ）２１Ｃをタッチ（ＯＮ）する（ＳＴ２１のＹＥＳ）。ここに、当該選択メモ情報が確定される。
【００３４】
すると、メモ書込み記憶制御手段（１１，１２）が、当該選択メモ情報を当該取引データに対応させて図１に示すジャーナル記憶手段２７に記憶（ＳＴ２２）する。当該取引データとともに記憶する。
【００３５】
したがって、後にジャーナル記憶手段２７に記憶されている各取引データを表示器２１に表示出力しあるいはプリンタ２２を用いて例えばレシート用紙に印字出力させれば、膨大な取引データの中からメモ情報（“登録間違い”）を手掛りに上記した特定取引データである旨を正確かつ迅速に識別することが可能である。
【００３６】
しかして、この第１の実施形態によれば、メモ情報記憶手段２７Ｍと，メモ情報選択手段（２０Ｓ）と，取引データ指定手段（１１，１２）と，メモ宣言手段（２０Ｄ）と，メモ書込み記憶制御手段（１１，１２）とを設け、複数のメモ情報の中から任意のメモ情報を選択可能に形成するとともに、選択されたメモ情報を指定された取引データに対応させてジャーナル記憶手段２７に書込み記憶可能に形成し、ジャーナル記憶手段２７に記憶された取引データの中からそのメモ情報を手掛りに特定取引データである旨を識別可能に形成されているので、電子的に記憶保持される取引データに何時でも簡単にメモ書きできるとともにそのメモ書きを手掛りに特定取引データを容易に識別可能でかつ取扱いも容易である。したがって、電子ジャーナルの一層の普及拡大が図れる。
【００３７】
また、メモ情報選択手段が選択キー２０Ｓから形成されかつメモ情報制御手段（１１，１２）によって表示器２１に表示された複数のメモ情報の中から任意の１つを選択可能に形成されているので、メモ書きをしようとするメモ情報をより正確かつ迅速に選択することができる。
【００３８】
また、選択メモ情報表示制御手段（１１，１２）を設け、選択されたメモ情報を表示器２１に表示するとともに確認キー２１Ｃを用いて確認入力することにより当該選択メモ情報を確定するものと形成されているので、より一層の正確性を担保できる。
【００３９】
また、取引データ指定手段（ＣＰＵ１１，ＲＯＭ１２）が商品登録されたことを条件に当該登録商品についての取引データを自動指定するものとされているので、メモ宣言手段とメモ情報選択手段とを操作すればよいから、一段と取扱いが容易である。
【００４０】
さらに、メモ書込み記憶制御手段（１１，１２）が当該指定取引データとともに当該選択メモ情報をジャーナル記憶手段２７に書込み記憶するものと形成されているので、整合性が一段と確実になる。
【００４１】
（第２の実施形態）  この実施形態は、基本的な構造・機能が第１の実施形態の場合と同様とされているが、書込み記憶ガイダンス表示制御手段（１１，１２）を設けるとともに、１取引きが終了するごとにメモ情報を当該取引データについてあるいは当該取引データ中の一部または全部の売上データについて書込み記憶可能に形成してある。
【００４２】
すなわち、締め操作（図５のＳＴ３２のＹＥＳ）による会計処理（ＳＴ３４）およびレシート発行（ＳＴ３４）後に、書込み記憶ガイダンス表示制御プログラムを格納させたＲＯＭ１２とＣＰＵ１１とからなる書込み記憶ガイダンス表示制御手段が、表示器２１に書込み記憶ガイダンス（例えば、“メモ書きをしますか？”）を表示（ＳＴ３５）する。
【００４３】
かくして、オペレータが宣言キー２０Ｄを用いてメモ宣言をする（ＳＴ３６のＹＥＳ）ことにより、第１の実施形態の場合と同様なメモ情報表示制御手段（１１，１２）が働き（ＳＴ３７、ＳＴ３８）、選択キー２０Ｓを用いてメモ情報を選択（ＳＴ３９のＹＥＳ）すると選択メモ情報表示制御手段（１１，１２）が働き（ＳＴ４０）、確認スイッチ２１Ｃを用いてその確認を行うことによりメモ書込み記憶制御手段（１１，１２）が選択メモ情報をジャーナル記憶手段２７に当該取引データと対応させて記憶（ＳＴ４２）する。
【００４４】
しかして、この第２の実施形態によれば、第１の実施形態の場合と同様な作用効果を奏し得る他、さらに顧客に手渡すレシートの発行（ＳＴ３４）後に店側事情のメモ書きをするように形成されているから、顧客サービスを向上できるとともに当該取引データ中の各売上データについて一度にそれぞれにメモ書きをすることができる。
【００４５】
また、書込み記憶ガイダンス表示制御手段（１１，１２）を設け、レシート発行後にメモ書き要否のガイダンスを表示可能に形成されているので、一段と取扱いが簡単である。但し、この書込み記憶ガイダンス表示制御手段（１１，１２）を常時的に表示動作させるか否かを選択切換可能に形成することができる。
【００４６】
（第３の実施形態）  この実施形態は、基本的構造・機能が第１の実施形態の場合と同様とされているが、さらに取引データ表示制御手段（１１，１２）を設けるとともに取引データ指定手段をジャーナル記憶手段２７から読出表示された複数の取引データの中から任意の１つを指定可能に形成し、商品登録（図３のＳＴ１１）やその会計処理（ＳＴ１３）とは関係なく何時でもメモ書き可能に形成してある。
【００４７】
すなわち、宣言キー（メモ宣言手段）２０Ｄを用いてメモ宣言（図６のＳＴ５０のＹＥＳ）をすると、取引データ表示制御プログラムを格納させたＲＯＭ１２とＣＰＵ１１とからなる取引データ表示制御手段が働き、ジャーナル記憶手段２７を検索（ＳＴ５１）して読出した取引データを表示器２１に一覧表示（ＳＴ５２）する。第１の実施形態（図４）のメモ情報の場合と同様な表示形態とされている。キー操作により、一部分の取引データを選択して表示することができ、かつスクロール表示させることができる。
【００４８】
さらに、オペレータは取引データ指定手段を形成するキーボード上の指定キー（図示省略）を用いて任意の取引データを指定（ＳＴ５３のＹＥＳ）すると、指定取引データ表示制御手段（ＣＰＵ１１，ＲＯＭ１２）が当該指定取引データを第１の実施形態（図４）の選択メモ情報の場合と同様な表示形態で表示（ＳＴ５４）する。そして確認スイッチ２１Ｃをタッチ（ＯＮ）することにより指定取引データを確定することができる（ＳＴ５５のＹＥＳ）。以下のＳＴ５６〜ＳＴ６０は、第１の実施形態の場合（図３のＳＴ１７〜ＳＴ２２）の場合と同じとされている。
【００４９】
しかして、この第３の実施形態によれば、第１の実施形態の場合と同様な作用効果（自動書込み等）を奏し得る他、さらに商品登録後の会計処理中やその終了後あるいは他の顧客買上商品についての商品登録をした後でもつまり何時でもメモ書きをすることができる。
【００５０】
さらにまた、取引データ表示制御手段（１１，１２）と指定取引データ表示制御手段（１１，１２）とを設け、メモ宣言を成したことを条件にジャーナル記憶手段２７に記憶された取引データを表示しかつ指定取引データをも表示するとともに確認入力可能に形成されているので、取引データの指定をより正確に行える。
【００５１】
【発明の効果】
請求項１の発明によれば、メモ情報記憶手段とメモ情報選択手段と取引データ指定手段とメモ宣言手段とメモ書込み記憶制御手段とを設け、電子的に記憶保持される取引データにメモ情報を書込み不能に形成されているので、電子的に記憶保持される取引データに何時でも簡単にメモ書きできるとともにそのメモ書きを手掛りに特定取引データを容易に識別可能でかつ取扱いも容易である。したがって、電子ジャーナルの一層の普及拡大が図れる。さらにメモ宣言手段，メモ情報選択手段および取引データ指定手段を操作するだけでよいから、一段と取扱いが容易でかつ何時でもどの取引データにでも簡単にメモ書きをすることができる。
【００５２】
また、請求項３の発明によれば、メモ情報選択手段が表示された複数のメモ情報の中から任意の１つを選択可能に形成されているので、請求項２の発明の場合と同様な効果を奏し得る他、さらにメモ書きをしようとするメモ情報をより正確かつ迅速に選択することができる。
【００５３】
さらに、請求項４の発明によれば、取引データ指定手段が商品登録されたことを条件に当該登録商品についての取引データを自動指定するものとされているので、請求項２および請求項３の発明の場合と同様な効果を奏し得る他、さらにメモ宣言手段とメモ情報選択手段とを操作すればよいので、一段と取扱いが容易である。
【図面の簡単な説明】
【図１】本発明の第１の実施形態を示すブロック図である。
【図２】同じく、メモ情報記憶手段を説明するための図である。
【図３】同じく、動作を説明するためのフローチャートである。
【図４】同じく、表示されたメモ情報の中から選択する場合を説明するための図である。
【図５】本発明の第２の実施形態の動作を説明するためのフローチャートである。
【図６】本発明の第３の実施形態の動作を説明するためのフローチャートである。
【図７】従来例（印字記憶方式）を説明するための図である。
【図８】従来例（電子的記憶方式）を説明するための図である。
【符号の説明】
１  電子キャッシュレジスタ（商品販売登録データ処理装置）
１１  ＣＰＵ（取引データ指定手段，メモ書込み記憶制御手段）
１２  ＲＯＭ（取引データ指定手段，メモ書込み記憶制御手段）
１３  ＲＡＭ
２０  スキャナ
２０Ｄ  宣言キー（メモ宣言手段）
２０Ｓ  選択キー（メモ情報選択手段）
２１  表示器
２２  プリンタ
２７  ＨＤＤ（ジャーナル記憶手段）
２７Ｍ  メモ情報記憶手段
【図１】
0003693432.tif 000002
【図２】
0003693432.tif 000003
【図３】
0003693432.tif 000004
【図４】
0003693432.tif 000005
【図５】
0003693432.tif 000006
【図６】
0003693432.tif 000007
【図７】
0003693432.tif 000008
【図８】
0003693432.tif 000009